(57)【要約】      （修正有）【課題】放送メッセージの送信機の認証が可能な聴覚器具を提供する。【解決手段】放送メッセージを受信する受信機４４と、放送メッセージの送信機を認証するように構成された認証装置５４を備え、放送メッセージの送信機の認証が成功すると、放送メッセージをその新規な聴覚器具のユーザの鼓膜に伝送される音響信号に変換するように構成される。【選択図】図１
2014239427.tif 000002
【特許請求の範囲】
【請求項１】
聴覚器具であって、
放送メッセージを受信する無線装置と、
前記放送メッセージの送信機を認証するように構成された認証装置を備えており、
前記聴覚器具がさらに、前記放送メッセージの前記送信機の認証に成功すると、前記放送メッセージを前記聴覚装置のユーザの鼓膜に伝送される音響信号に変換するように構成されている、聴覚器具。
【請求項２】
前記聴覚器具がさらに、前記放送メッセージの前記送信機の認証に成功すると、前記聴覚器具によって受信された少なくとも１つの他の信号を消音するように構成されている、請求項１の聴覚器具。
【請求項３】
前記聴覚器具がさらに、前記放送メッセージの前記送信機の認証に成功すると、前記放送メッセージを前記聴覚器具によって受信された少なくとも１つの他の信号とミキシングし、ミキシングされた出力を前記聴覚器具の前記ユーザの前記鼓膜に伝送される前記音響信号に変換するように構成されている、請求項１の聴覚器具。
【請求項４】
前記聴覚器具がさらに、前記放送メッセージの前記送信機の認証に失敗すると、前記放送メッセージを無視するように構成されている、請求項１から３の何れか一項の聴覚器具。
【請求項５】
前記聴覚器具がさらに、それらの一部が前記聴覚器具によって同時に受信される、複数の放送メッセージのそれぞれの送信機の認証が成功すると、前記複数の放送メッセージをミキシングし、ミキシングされた出力を前記聴覚器具の前記ユーザの前記鼓膜に伝送される前記音響信号に変換するように構成されている、請求項１から４の何れか一項の聴覚器具。
【請求項６】
前記聴覚器具がさらに、前記聴覚器具の前記ユーザの前記鼓膜に別の放送メッセージを伝送している間に受信された放送メッセージを格納するように構成されている、請求項１から４の何れか一項の聴覚器具。
【請求項７】
前記聴覚器具がさらに、前記格納された放送メッセージを前記聴覚器具の前記ユーザの前記鼓膜に伝送される前記音響信号に変換するように構成されている、請求項６の聴覚器具。
【請求項８】
前記格納された放送メッセージが、前記聴覚器具によって受信された順番で、前記聴覚器具の前記ユーザの前記鼓膜に伝送される前記音響信号に変換される、請求項７の聴覚器具。
【請求項９】
前記格納された放送メッセージが、それらの優先順位の順番で、前記聴覚器具の前記ユーザの前記鼓膜に伝送される前記音響信号に変換される、請求項６または７の聴覚器具。
【請求項１０】
前記認証装置がさらに、前記放送メッセージに含まれる電子署名を検証するように構成されている、請求項１から９の何れか一項の聴覚器具。
【請求項１１】
前記認証装置がさらに、前記放送メッセージの前記送信機の認証のための、前記放送メッセージに含まれる暗号化されたメッセージを復号化するように構成されている、請求項１から１０の何れか一項の聴覚器具。
【請求項１２】
前記認証装置がさらに、前記放送メッセージの前記送信機の認証のための、前記放送メッセージに含まれるハッシュ符号を復号化するように構成されている、請求項１から１０の何れか一項の聴覚器具。
【請求項１３】
放送メッセージを認証する方法であって、
送信機によって放送されるメッセージの前記送信機を識別する署名を生成するステップと、
前記署名を前記メッセージとともに送信するステップと、
前記放送メッセージを受信している装置において、前記送信された署名に基づいて、前記放送メッセージの前記送信機を認証するステップと、
前記放送メッセージの前記送信機の認証が成功すると、前記放送メッセージを人間の鼓膜に伝送される音響信号に変換するステップを備える方法。
【請求項１４】
前記生成するステップが、
前記署名を暗号化するステップを含んでおり、
前記認証するステップが、
前記放送メッセージの前記送信機の認証のための、前記放送メッセージに含まれる前記暗号化された署名を復号化するステップを含んでいる、請求項１３の方法。
【請求項１５】
放送システムであって、
複数の受信機にメッセージを放送するように構成された送信機と、
聴覚器具を備えており、
前記送信機が、放送されるメッセージとともに送信するための、前記送信機を識別する署名を符号化するエンコーダを備えており、
前記聴覚器具が、
前記放送メッセージを受信する無線装置と、
前記放送メッセージの前記送信機を認証するように構成された認証装置を備えており、
前記聴覚器具がさらに、前記放送メッセージの前記送信機の認証が成功すると、前記放送メッセージを前記聴覚器具のユーザの鼓膜に伝送される音響信号に変換するように構成されている、放送システム。
【発明の詳細な説明】
【技術分野】
【０００１】
放送メッセージを受信するように構成された受信機と、放送メッセージの送信機を認証するように構成された認証装置を備える新規な聴覚器具が提供される。その新規な聴覚器具はさらに、放送メッセージの送信機の認証に成功すると、放送メッセージを新規な聴覚器具のユーザの鼓膜に伝送するための音響信号に変換するように構成されている。
【背景技術】
【０００２】
近年、聴覚装置のユーザに様々な音源から受信した音を提示することができる補聴器が登場している。音源の例としては、携帯電話、ラジオ、メディアプレーヤ、コンパニオンマイク、例えば公共の場所、例えば教会、講堂、劇場、映画館などにおける放送システム、例えば駅、空港、ショッピングモールなどにおける構内アナウンスシステムなどが含まれる。
【０００３】
例えば、テレコイルを使用して、例えば電話、（ネックループを備える）ＦＭシステム、および誘導ループシステム（ヒアリングループとも呼ばれる）によって生成された、音声信号を磁気的に拾うことによって、音声を補聴器に高い信号対雑音比で送信し得ることが、広く知られている。さらに最近では、補聴器には、例えばテレコイルと置き換えて、あるいはテレコイルを補うように、無線信号を受信する無線回路が設けられている。無線回路は、概してストリーミングされた音声、例えばメディアプレーヤ、例えばＭＰ３プレーヤ、ＴＶセットなどからのストリーミングされた音楽およびスピーチを受信する。さらに、例えば補聴器を携帯電話、音声ヘッドセット、ラップトップコンピュータ、携帯情報端末、デジタルカメラなどに相互接続するための、例えばブルートゥース技術を含む、近距離ネットワークを介して、音声信号の様々な音源に接続する補聴器が登場している。他の無線ネットワーク、すなわちＨｏｍｅＲＦ，ＤＥＣＴ，ＰＣＴ，無線ＬＡＮ（ＷＬＡＮ），または他の独自のネットワークについても提案されている。
【発明の概要】
【発明が解決しようとする課題】
【０００４】
いくつかの状況において、例えば公共の場所において、聴覚器具を装着したユーザが、放送メッセージ、例えば公共アナウンス、例えば電車、船、または飛行機の出発または遅延を、その放送メッセージの送信機が認可されたものであることを確かめつつ、聴き取ることが可能であることが望まれる。
【０００５】
従って、放送メッセージの送信機の認証が可能な聴覚器具が必要とされている。
【課題を解決するための手段】
【０００６】
従って、放送メッセージを受信する無線装置と、放送メッセージの送信機を認証するように構成された認証装置を備える、新規な聴覚器具が提供される。聴覚器具は、放送メッセージの送信機の認証が成功すると、放送メッセージを聴覚器具のユーザの鼓膜に伝送される音響信号に変換するように構成されている。
【０００７】
放送メッセージを認証する方法も提供される。その方法は、
例えば暗号化によって、送信機によって放送されるメッセージの前記送信機を識別する署名を生成するステップと、
前記署名を前記メッセージとともに送信するステップと、
前記放送メッセージを受信している装置において、前記送信された署名に基づいて、前記放送メッセージの前記送信機を認証するステップと、
前記放送メッセージの前記送信機の認証が成功すると、前記放送メッセージを人間の鼓膜に伝送される音響信号に変換するステップを備えている。
【０００８】
さらに、放送システムが提供される。その放送システムは、
複数の受信機にメッセージを放送するように構成された送信機と、
聴覚器具を備えており、
前記送信機は、放送されるメッセージとともに送信するための、前記送信機を識別する署名を符号化するエンコーダを備えており、
前記聴覚器具は、
前記放送メッセージを受信する無線装置と、
前記放送メッセージの前記送信機を認証するように構成された認証装置を備えており、
前記聴覚器具はさらに、前記放送メッセージの前記送信機の認証が成功すると、前記放送メッセージを前記聴覚器具のユーザの鼓膜に伝送される音響信号に変換するように構成されている。
【０００９】
聴覚器具は、補聴器、例えばＢＴＥ，ＲＩＥ，ＩＴＥ，ＩＴＣ，ＣＩＣなどであってもよいし、バイノーラル補聴器であってもよいし、イヤフック型、インイヤ型、オンイヤ型、オーバーイヤ型、ビハインドネック型、ヘルメット型、ヘッドガード型などの、ヘッドセット、ヘッドホン、イヤホン、イヤディフェンダ、イヤマフなどであってもよい。
【００１０】
放送メッセージは、聴覚器具においてスピーチに変換されるテキストメッセージであってもよい。好ましくは、放送メッセージは口述されたメッセージである。
【００１１】
本明細書の開示を通じて、放送メッセージは、複数の受信機によって受信可能なメッセージであって、そのメッセージの生成、例えばアナウンスを行った人間からの音響出力から、聴覚器具のユーザの鼓膜に伝送されるまでの間に取り得る、任意の形態のメッセージである。放送メッセージは、無線送信に適した形態および聴覚器具における信号処理に適した形態のデジタル化されたメッセージを含む。
【００１２】
聴覚器具は、放送メッセージの送信機の認証が成功して、聴覚器具のユーザの鼓膜に放送メッセージを伝送している間に、聴覚器具によって受信された少なくとも１つの他の信号、例えば聴覚器具のマイクロホンからの信号を、消音するように構成されていてもよい。これによって、注意力が散漫になることを抑制して、ユーザはアナウンスに集中することが可能となる。
【００１３】
聴覚器具は、放送メッセージの送信機の認証に失敗すると、放送メッセージを無視するように構成されていてもよい。これによって、聴覚器具のユーザは、無認可の送信機からのメッセージに煩わされることがなくなる。
【００１４】
聴覚器具は、ミキサを有していてもよい。ミキサは、放送メッセージを受信する無線装置の出力に接続された入力と、音声信号の他の送信機、例えば聴覚器具のマイクロホンに接続された他の入力と、ミキサに入力された音声信号を重み付きで組み合わせた音声信号を提供する出力を備える。
【００１５】
ミキサにおいて、放送メッセージ以外の信号の重みをゼロにセットすることによって、消音が実行されてもよい。
【００１６】
ミキサにおいて、放送メッセージの重みをゼロにセットすることによって、無認可の送信機からのメッセージが無視されてもよい。 
【００１７】
認証装置が放送メッセージの送信機の認証に成功した場合、聴覚器具は、ユーザに放送メッセージが伝送されている間、ユーザに現在伝送されている他の信号が弱められるように、ミキサの重み付けを調整するように構成されていてもよい。これによって、ユーザは、聴覚器具によって受信された他の信号とのつながりを失うことなく、放送メッセージをはっきりと聴き取ることができる。例えば、放送メッセージが伝送されている間に聴覚装置のマイクロホンによって受信されたユーザの周囲からの音響信号を弱めることによって、ユーザは、放送メッセージを聴き取ると同時に、周囲とのつながりを維持することができる。
【００１８】
聴覚器具は、２つ以上の認証された放送メッセージを、同時に受信してもよい。すなわち、それ以前の放送メッセージを受信している間に、１つまたはそれ以上の放送メッセージが受信されてもよく、それによって、２つ以上の認証された放送メッセージが、時間に関して完全にまたは部分的に重なっていてもよい。
【００１９】
このような状況は、様々な方法で処理することができる。例えば、放送メッセージは、割り当てられた優先順位を有していてもよく、その優先順位についての情報とともに送信されてもよい。優先順位についての情報は、例えば整数、例えば１以上の整数であって、例えばその整数が低いほど、優先順位が高い。例えば、警報メッセージは最も高い優先順位を有していてもよく、交通情報のアナウンスは二番目に高い優先順位を有していてもよく、場合によって、コマーシャルは最も低い優先順位を有していてもよい。
【００２０】
認証に成功した放送メッセージは、優先順位の順番で、一度に１つずつ、聴覚器具のユーザに提示されてもよい。例えば、最も高い優先順位の認証された放送メッセージは、聴覚器具のユーザに遅延なく伝送されて、他の放送メッセージは、優先順位に従って聴覚器具のユーザに順番に提示するために、中間的に格納される。
【００２１】
あるいは、認証に成功した放送メッセージは、聴覚器具のユーザに、聴覚器具によって受信されたのと同じ順番で、一度に１つずつ、聴覚器具のユーザに提示されてもよい。
【００２２】
あるいは、認証に成功した放送メッセージは、互いに関して実質的に変更されていないタイミングで、聴覚器具のユーザに伝送されてもよい。ミキサは、個々の認証に成功した放送メッセージのそれぞれを、上述したような他の音声送信機の入力と同じように、別個の入力として扱ってもよい。個々の認証に成功した放送メッセージは、例えば優先順位に従って、ミキサによって重み付けがされてもよい。
【００２３】
聴覚器具は、最も高い優先順位の放送メッセージを聴覚器具のユーザの鼓膜に伝送している間、聴覚器具によって受信された１つ以上の他の信号を、常に消音するように構成されていてもよい。
【００２４】
聴覚器具は、ユーザインターフェース、例えばプッシュボタン、リモコンなどを有していてもよい。これによって、ユーザは、放送を受信している間、望む通りに、他の信号を聞き続けることができるように、あるいはできなくなるように、他の信号の消音のオンオフを、望む通りに切り替えることができる。
【００２５】
ユーザインターフェースはさらに、入力音声信号の組合せの重み付けをユーザが調整する手段、例えば増分調整のためのプッシュボタンを含んでいてもよい。
【００２６】
聴覚器具が放送メッセージの送信機を認証できるようにするために、放送メッセージの送信機を一意的に識別する電子署名が放送メッセージに含まれていてもよい。
【００２７】
好ましくは、放送メッセージの送信機の確実な認証のために、電子署名は暗号化されている。
【００２８】
電子署名は、認証局によって発行されたデジタル証明書を含んでいてもよい。
【００２９】
暗号学的にシンプルな方法で聴覚器具が放送メッセージの送信機を認証できるようにするために、電子署名は、ハッシュ符号、例えばメッセージ認証符号を含んでいてもよい。
【００３０】
新規な聴覚器具における信号処理は、専用のハードウェアによって実行されてもよいし、１つ以上の信号処理装置において実行されてもよいし、専用のハードウェアと１つ以上の信号処理装置の組合せにおいて実行されてもよい。
【００３１】
本明細書で使用する、「処理装置」、「信号処理装置」などの用語は、ＣＰＵに関連したエンティティを指しており、ハードウェア、ハードウェアとソフトウェアの組合せ、ソフトウェア、あるいは実行中のソフトウェアを指している。
【００３２】
例えば、「処理装置」、「信号処理装置」などは、処理装置において実行しているプロセス、処理装置、オブジェクト、実行可能ファイル、実行スレッド、および／またはプログラムであってもよい。ただし、これらに限定されるものではない。
【００３３】
説明のために、「処理装置」、「信号処理装置」などは、処理装置で実行中のアプリケーションと、ハードウェアの処理装置の両方を意味する。１つ以上の「処理装置」、「信号処理装置」など、あるいはそれらの組合せは、プロセスおよび／または実行スレッドの内部に存在していてもよく、１つ以上の「処理装置」、「信号処理装置」など、あるいはそれらの組合せは、場合によっては他のハードウェア回路との組み合わされた１つのハードウェアの処理装置に局在していてもよいし、および／または、場合によっては他のハードウェア回路との組み合わされた２つ以上のハードウェアの処理装置の間で分散していてもよい。
【図面の簡単な説明】
【００３４】
以下では、新規な聴覚器具の好ましい実施形態が、図面を参照しながら、より詳細に説明される。
【００３５】
【図１】新規な聴覚器具の電子回路を模式的に示す。
【図２】メッセージ認証符号を使用した認証装置の動作を模式的に示す。
【図３】デジタル証明書を使用した認証装置の動作を模式的に示す。
【発明を実施するための形態】
【００３６】
新規な方法および聴覚器具について、添付の図面を参照しながら、以下でより詳細に説明する。添付の図面においては、新規な方法および聴覚器具の様々な実施例が示されている。しかしながら、特許請求の範囲に係る新規な方法および聴覚器具は、様々な形態で具現化することができ、本明細書に記載の実施例に限定されると解釈されるべきではない。むしろ、これらの実施例は、本明細書の開示を徹底的かつ完全なものとし、特許請求の範囲の技術的範囲を完全に伝えるように、提供されている。
【００３７】
なお、添付の図面は、分かりやすくするために概略的かつ簡素化されており、新規な方法および聴覚器具の理解に不可欠な詳細のみを図示しているに過ぎず、他の詳細は省略されていることに留意すべきである。
【００３８】
同様の参照符号は全体を通して同様の要素を示す。したがって、同様の要素については、それぞれの図の説明に関して詳細には説明しない。
【００３９】
図１は、新規な聴覚器具の例示的な聴覚器具回路１０を模式的に示す。図示された新規な聴覚器具は、例えば外耳道内に、または部分的に外耳道内に、耳の後ろに、または耳介内に装着される、例えば既知のＢＴＥ，ＩＴＥ，ＩＴＣ，ＣＩＣなどの、任意の適切な機械的デザインの補聴器である。
【００４０】
図示された聴覚器具回路１０は、前方マイクロホン１２と後方マイクロホン１４を備えている。前方マイクロホン１２と後方マイクロホン１４は、周囲からの音響音声信号を、対応するマイクロホン音声信号１６，１８に変換する。マイクロホン音声信号１６，１８は、マイクロホン１４，１６によって出力される。マイクロホン音声信号１６，１８は、対応するＡ／Ｄ変換部２０，２２においてデジタル化される。Ａ／Ｄ変換部２０，２２は、対応するマイクロホン音声信号１６，１８を、対応するデジタルマイクロホン音声信号２４，２６に変換する。デジタルマイクロホン音声信号２４，２６は、場合によりプレフィルタリングされて（プレフィルタは図示していない）、信号合成部２８で合成される。信号合成部２８は、例えば、聴覚器具の技術分野において公知である、指向性を有するデジタルマイクロホン音声信号３０を形成する。デジタルマイクロホン音声信号３０はミキサ３２に入力される。ミキサ３２は、ミキサ３２に入力された信号の重み付き和を出力するように構成されている。ミキサ出力３４は、聴力損失処理装置３６に入力される。聴力損失処理装置３６は、ミキサ出力３４に基づいて、聴力損失補償済み出力信号３８を生成するように構成されている。聴力損失補償済み出力信号３８は、レシーバ４０に入力される。レシーバ４０は、聴力損失補償済み出力信号３８を、聴覚器具のユーザの鼓膜（図示せず）に向けて伝送される音響音声に変換する。
【００４１】
図示された聴覚器具回路１０はさらに、様々な送信機、例えば携帯電話、ラジオ、メディアプレーヤ、コンパニオンマイク、例えば公共の場所、例えば教会、講堂、劇場、映画館などにおける放送システム、例えば駅、空港、ショッピングモールなどにおける構内アナウンスシステムなどからの、デジタル音声を受信するように構成されている。
【００４２】
図示された例では、口述された放送メッセージを含む、デジタル音声は、聴覚器具に無線により送信され、無線受信機４４に接続された聴覚器具アンテナ４２により受信される。無線受信機は、受信された無線信号から、デジタル音声、場合によっては送信機識別子、場合によってはネットワーク制御信号などを含むデジタルデータ４６を復元する。信号抽出部４８は、受信されたデジタルデータ４６からデジタル音声５０を抽出して、デジタル音声５０をミキサ３２へ転送する。デジタル音声５０は、複数の音声源からの音声を含んでいてもよく、従ってデジタル音声５０は、ミキサ３２への複数の入力信号を形成してもよい。ここで、それぞれの音声源に対して１つの入力信号が対応する。
【００４３】
以下でさらに説明するように、放送メッセージのデジタルデータは、放送メッセージの送信機の識別に関連するデータ５２も含んでいる。信号抽出部４８は、デジタルデータからこれらのデータ５２を抽出して、それらを認証装置５４へ転送する。認証装置５４は、以下でさらに説明するように、放送メッセージの送信機を認証するように構成されている。出力認証信号５６は、ミキサ３２への制御入力を形成して、ミキサ入力信号の重み付き和を制御する。
【００４４】
放送メッセージの送信機が認証できない場合には、ミキサ３２において対応する重み付けがゼロにセットされて、放送メッセージ６２はユーザに伝送されず、放送メッセージ６２は無視される。
【００４５】
放送メッセージの送信機が認証された場合には、放送メッセージはユーザに伝送される。このとき、放送メッセージを伝送している間、他の信号は弱められる。他の信号は消音されてもよい。ユーザは、当該技術分野において知られているタイプの聴覚器具のユーザインターフェースを介してコマンドを入力して、他の信号を消音するか弱めるかを制御することができる。
【００４６】
聴覚器具は、２つ以上の認証された放送メッセージを同時に受信してもよい。すなわち、それ以前の放送メッセージを受信している間に、１つ以上の放送メッセージが受信されてもよい。それによって、２つ以上の認証された放送メッセージが、時間に関して完全にまたは部分的に重なっていてもよい。
【００４７】
このような状況は、様々な方法で処理することができる。例えば、放送メッセージが、割り当てられた優先順位を有していてもよく、その優先順位についての情報とともに送信されてもよい。例えばその情報は１以上の整数であって、例えばその整数が小さいほど、優先順位が高い。例えば、警報メッセージは最も高い優先順位を有していてもよく、交通情報のアナウンスは二番目に高い優先順位を有していてもよく、場合によって、コマーシャルは最も低い優先順位を有していてもよい。
【００４８】
認証に成功した放送メッセージは、ミキサへの他の入力と同様に別個の入力としてミキサ３２によって処理される。この場合、ミキサは処理装置３６に出力される入力の重み付き和に個々の放送メッセージを含ませる。この場合、放送メッセージは互いに関して実質的に変更されていないタイミングでユーザに伝送される。
【００４９】
あるいは、認証に成功した放送メッセージは、聴覚器具のユーザに、一度に１つずつ伝送されてもよい。
【００５０】
ミキサ３２は、それ以前の放送メッセージを受信している間に受信された放送メッセージを格納するメモリを有していてもよい。格納された放送メッセージは、対象とする放送メッセージの認証が成功することを条件としてミキサ３２の出力に含ませるために、それらが聴覚器具によって受信されたのと同じ順番で、あるいは優先順位の順番で、ミキサ３２の以前の放送メッセージの出力の終了に引き続いてミキサに入力されてもよい。
【００５１】
聴覚器具は、聴覚器具のユーザの鼓膜に向けて最も高い優先順位の放送メッセージを伝送している間、聴覚器具によって受信された１つ以上の信号を、常に消音するように構成されていてもよい。
【００５２】
図２は、図１に示す認証装置５４の例示的な動作原理を示す。放送メッセージ６２の送信機６０は、オーラルメッセージ、例えば空港における出発のアナウンスを送信してもよい。放送メッセージ６２は、複数の受信機に、無線により、かつデジタル形式で送信される。図２において、メッセージ６２は、デジタル形式で示されている。メッセージ認証アルゴリズム６４は、メッセージ６２の送信機６０を認証して、それによってなりすましのリスクを低減するために、デジタル化メッセージ６２からメッセージ認証符号（ＭＡＣ）６６を算出するために使用される。ＭＡＣアルゴリズム６４は、１つの入力として秘密鍵を、別の入力として可変長のメッセージを有する、暗号学的ハッシュ関数を実装している。ＭＡＣアルゴリズム６４は、例えばＭＡＣアルゴリズムを定義するＩＳＯ／ＩＥＣ９７９７−１および−２といった、様々な既存の規格で定められているように、ＭＡＣ６６を出力する。
【００５３】
そして、メッセージ６２とＭＡＣ６６は、参照符号６８で示すように、ともに無線によって、様々な受信機に送信される。様々な受信機のうちの１つは、新規な聴覚器具の１つに設けられている。プロセス７０によって示されているように、新規な聴覚器具の認証装置５４は、受信されたメッセージ６２を、送信機６０により使用されたものと同じＭＡＣアルゴリズム６４に入力し、同じ秘密鍵を使用して、認証装置５４においてＭＡＣ７２を算出する。そして、認証装置５４は、送信されたＭＡＣ６６と、認証装置５４において算出されたＭＡＣ７２を比較する。２つのＭＡＣが同一である場合には、放送メッセージ６２の送信機６０は認証されて、メッセージ６２も認証される。なぜなら、同一のＭＡＣ符号６６，７２を生成するためには、ＭＡＣアルゴリズム６４に入力される秘密鍵とメッセージはそれぞれ同一でなければならないからである。
【００５４】
認証装置５４の出力５６は、図１を参照してすでに説明したように、認証プロセスの結果に応じてミキサ３２の重み付けを制御するために使用される。
【００５５】
図２の原理に示す認証プロセスは、比較的簡素であって、聴覚器具における実装に適している。秘密鍵は、対象とする送信機からの放送メッセージを利用可能な全ての受信機に配布されている必要がある。明らかに、秘密鍵の配布は、注意を払って行わなければならない。なぜなら、秘密鍵を所有する者は誰でも、新規な聴覚器具において認証に成功するであろうメッセージを生成することができるからである。
【００５６】
図３は、図１に示す認証装置５４の別の例示的な動作原理を示している。ここでは、秘密鍵は認可された送信機のみが所有している。
【００５７】
図２と同様に、放送メッセージ８２の送信機８０は、オーラルメッセージ、例えば空港における出発のアナウンスを送信してもよい。放送メッセージ８２は、複数の受信機に、無線により、かつデジタル形式で送信される。図３において、メッセージ８２はデジタル形式で示されている。
【００５８】
図３において、メッセージ８２は、非対称な暗号化方式、例えば１つの鍵が認証される送信機８０に所有されている秘密鍵である鍵ペアを用いるデジタル署名方式を使用して認証される。秘密鍵は、メッセージ８２をデジタル署名８８に暗号化するために使用される。他方の鍵は、送信機８０により放送されるメッセージの対象となる受信機に配布され、認証のためにデジタル署名を復号化するために使用される、公開鍵である。
【００５９】
メッセージ８２の送信機８０を認証して、それによってなりすましのリスクを低減するために、ハッシュアルゴリズム８４は、デジタルメッセージ８２からハッシュ符号を算出し、暗号化アルゴリズム８６にハッシュ符号を出力する。暗号化アルゴリズム８６は、秘密鍵を使用して、ハッシュ符号をデジタル署名８８に暗号化する。
【００６０】
そして、メッセージ８２とデジタル署名８８は、参照符号９０で示すように、ともに無線によって、様々な受信機に送信される。様々な受信機のうちの１つは、新規な聴覚器具の１つに設けられている。プロセス９２で示すように、新規な聴覚器具の認証装置５４は、受信されたメッセージ８２を、送信機８０によって使用されたものと同じハッシュ関数８４に入力して、認証装置５４においてハッシュ符号９４を算出する。さらに、認証装置５４は、公開鍵とともに復号化アルゴリズム９６を使用して、デジタル署名８８をハッシュ符号９８に復号化する。そして、認証装置５４は、ハッシュ符号９４とハッシュ符号９８を比較する。ハッシュ符号９４，９８が同一である場合には、放送メッセージ８２の送信機８０は認証されて、メッセージ８２も認証される。なぜなら、公開鍵でデジタル署名８８を正しいハッシュ符号９８に復号化するためには、秘密鍵が使用されなければならず、かつハッシュアルゴリズム８４が同一のハッシュ符号を出力するためには、受信および送信されたメッセージが同一でなければならないからである。認証装置５４の出力５６は、図１を参照しながらすでに説明したように、認証プロセスの結果に応じてミキサ３２の重み付けを制御するために使用される。
【００６１】
図３の認証方式は、図２の認証方式に比べて、いくらか複雑である。しかしながら、図３の認証方式は、秘密鍵の配布を必要としない。
【図１】
2014239427.tif 000003
【図２】
2014239427.tif 000004
【図３】
2014239427.tif 000005
【外国語明細書】
2014239427000001.pdf
2014239427000002.pdf
2014239427000003.pdf
2014239427000004.pdf